(57)【特許請求の範囲】
【請求項１】
遊技球が流下する遊技領域を前面に有した遊技板と、
前記遊技板の前記遊技領域に貫通形成された演出窓と、
前面開放の箱形構造をなし、前記演出窓を後方から覆いかつ前記遊技板の後面に取り付けられた裏側筐体と、
前記裏側筐体の内側に配置され、前記演出窓を通して視認可能な内部装飾部材とを備えた遊技機において、
前記遊技板は、少なくとも一部が透明な部材で構成され、
前記裏側筐体の外縁部を前方から覆い、前記遊技板を通して透視可能な外縁装飾部材とを備えたことを特徴とする遊技機。
【請求項２】
前記外縁装飾部材は、前記裏側筐体に固定されていることを特徴とする請求項１に記載の遊技機。
【請求項３】
前記遊技板の前面には、前記遊技領域の下側から発射された遊技球を前記遊技領域の上部に案内する発射通路が、前記遊技領域の一側部に沿った円弧状に備えられ、
前記外縁装飾部材は、前記発射通路の後方に配置されたことを特徴とする請求項１又は２に記載の遊技機。
【請求項４】
前記遊技板の後面のうち前記発射通路の裏側部分を凹凸形状にして凹凸透過部を備えたことを特徴とする請求項３に記載の遊技機。
【請求項５】
前記遊技板の後面には、前記遊技領域の裏側部分を含む領域を、その周辺領域よりも後方に段付き状に突出させてなる丘陵部が備えられ、
前記丘陵部とその周辺領域との段差部が前記凹凸透過部をなして、前記発射通路に沿って円弧状に延びていることを特徴とする請求項４に記載の遊技機。
【請求項６】
前記裏側筐体の外縁部の前面と前記遊技板の後面との少なくとも一方から突出して他方に突き当り、前記裏側筐体の外縁部の前面と前記遊技板の後面との間に隙間を形成する複数の突当突起を備え、
前記外縁装飾部材は、前記隙間内に配されていることを特徴とする請求項１乃至５の何れか１の請求項に記載の遊技機。
【発明の詳細な説明】
【技術分野】
【０００１】
本発明は、遊技板に貫通形成された演出窓を通して、遊技板の後側の裏側筐体内を視認可能な遊技機に関する。
【背景技術】
【０００２】
従来、この種の遊技機として、例えば前後の両面が開放した筐体本体の後面に液晶モニタを取り付けてなる裏側筐体を備え、演出窓を通して裏側筐体内の内部装飾部材と液晶モニタの画面とを視認可能なものが知られている（例えば、特許文献１参照）。
【先行技術文献】
【特許文献】
【０００３】
【特許文献１】特開２００８−２００１７２号公報（段落［００５９］、［００７６］、図４）
【発明の概要】
【発明が解決しようとする課題】
【０００４】
ところで、近年、遊技板を透明にして、遊技板の裏側を透視可能にした遊技機が流通しているが、上記した従来の遊技機の遊技板を透明にすると、内部装飾部材で飾り付けられた裏側筐体の内部に比べて何も装飾されていない殺風景な裏側筐体の外縁部が見えてしまい、興醒め感を抱かせて趣向性を低下させる虞があった。
【０００５】
本発明は、上記事情に鑑みてなされたもので、従来よりも趣向性が高い遊技機の提供を目的とする。
【課題を解決するための手段】
【０００６】
上記目的を達成するためになされた請求項１の発明は、遊技球が流下する遊技領域を前面に有した遊技板と、前記遊技板の前記遊技領域に貫通形成された演出窓と、前面開放の箱形構造をなし、前記演出窓を後方から覆いかつ前記遊技板の後面に取り付けられた裏側筐体と、前記裏側筐体の内側に配置され、前記演出窓を通して視認可能な内部装飾部材とを備えた遊技機において、前記遊技板は、少なくとも一部が透明な部材で構成され、前記裏側筐体の外縁部を前方から覆い、前記遊技板を通して透視可能な外縁装飾部材とを備えたことを特徴とする遊技機である。
【０００７】
本発明によれば、遊技板を通して透視される裏側筐体の外縁部が裏側筐体の内部と同様に装飾されているので、何も装飾されていない殺風景な裏側筐体の外縁部がそのまま見えてしまう虞を軽減することが可能となるので、従来よりも趣向性を向上させることが可能となる。
【０００８】
請求項２の発明は、前記外縁装飾部材は、前記裏側筐体に固定されていることを特徴とする請求項１に記載の遊技機である。
【０００９】
裏側筐体の外縁部を装飾する外縁装飾部材は、遊技板と裏側筐体とにより挟み付けられる構成であってもよいし、請求項２の発明のように、裏側筐体に固定される構成であってもよい。請求項２の構成とした場合、外縁装飾部材を強固に固定することが可能となる。
【００１０】
請求項３の発明は、前記遊技板の前面には、前記遊技領域の下側から発射された遊技球を前記遊技領域の上部に案内する発射通路が、前記遊技領域の一側部に沿った円弧状に備えられ、前記外縁装飾部材は、前記発射通路の後方に配置されたことを特徴とする請求項１又は２に記載の遊技機である。
【００１１】
本発明では、外縁装飾部材が発射通路の後方に配されているので、外縁装飾部材を発射通路の装飾とすることが可能となる。
【００１２】
請求項４の発明は、前記遊技板の後面のうち前記発射通路の裏側部分を凹凸形状にして凹凸透過部を備えたことを特徴とする請求項３に記載の遊技機である。
【００１３】
この構成によれば、遊技板の裏側の凹凸透過部により外縁装飾部材が屈曲して見え、趣向性を向上させることが可能となる。
【００１４】
請求項５の発明は、前記遊技板の後面には、前記遊技領域の裏側部分を含む領域を、その周辺領域よりも後方に段付き状に突出させてなる丘陵部が備えられ、前記丘陵部とその周辺領域との段差部が前記凹凸透過部をなして、前記発射通路に沿って円弧状に延びていることを特徴とする請求項４に記載の遊技機である。
【００１５】
本発明によれば、遊技板の後面の丘陵部は、遊技領域の裏側部分を含む領域を段付き状に突出させてなり、板厚が厚くなっているので、遊技領域内の障害釘や役物を取り付けるネジを深く打ち込んだり、ネジ込むことができ、それらの支持を強固にすることが可能となる。そして、そのような丘陵部の段差部が上述した凹凸透過部に流用されているので、丘陵部の有効利用を図ることが可能となる。しかも、その凹凸透過部が発射通路に沿って延びているので、発射通路を通過する遊技球の軌道のように見せることができ、この点においても趣向性の向上を図ることが可能となる。
【００１６】
請求項６の発明は、前記裏側筐体の外縁部の前面と前記遊技板の後面との少なくとも一方から突出して他方に突き当り、前記裏側筐体の外縁部の前面と前記遊技板の後面との間に隙間を形成する複数の突当突起を備え、前記外縁装飾部材は、前記隙間内に配されていることを特徴とする請求項１乃至５の何れか１の請求項に記載の遊技機である。
【００１７】
本発明によれば、複数の突当突起によって裏側筐体の外縁部の前面と遊技板の後面との間に隙間が確保され、その隙間内に外縁装飾部材が配置されているので、遊技板及び外縁装飾部材が擦れ合うことが防がれ、高い装飾性を保つことが可能となる。
【発明の効果】
【００１８】
本発明によれば、遊技板の少なくとも一部が透明な部材で構成された遊技機において、裏側筐体の外縁部を前方から覆い、遊技板を通して透視可能な外縁装飾部材を備えることで、裏側筐体の外縁部がそのまま見えてしまう虞を軽減することが可能となり、従来よりも趣向性を向上させることが可能となる。
【図面の簡単な説明】
【００１９】
【図１】本発明の第１実施形態に係るパチンコ遊技機の正面図
【図２】遊技板の正面図
【図３】裏側筐体の斜視図
【図４】裏側筐体の斜視図
【図５】遊技板、外縁装飾部材及び裏側筐体の前方分解斜視図
【図６】外縁装飾部材の後方斜視図
【図７】遊技板の背面図
【図８】遊技板における凹凸透過部付近の平断面図
【図９】遊技板と裏側筐体との側断面図
【発明を実施するための形態】
【００２０】
以下、本発明を適用したパチンコ遊技機１０（本発明の「遊技機」に相当する。）に係る一実施形態を、図１〜図９に基づいて説明する。図１に示すように、パチンコ遊技機１０は、前面が前面枠１０Ｚにて覆われており、その前面枠１０Ｚに形成されたガラス窓１０Ｗを通して遊技板１１の遊技領域Ｒ１が視認可能になっている。
【００２１】
前面枠１０Ｚのうちガラス窓１０Ｗより下方には、上皿２６及び下皿２７が上下２段にして設けられ、下皿２７の右側には操作ノブ２８が設けられている。操作ノブ２８を回動操作すると、上皿２６に収容された遊技球が遊技領域Ｒ１に向けて弾き出される。
【００２２】
図２に示すように、遊技領域Ｒ１には、始動入賞口１４Ａ，１４Ｂと大入賞口１５，１７とが備えられ、始動入賞口１４Ａ，１４Ｂに遊技球が入球すると当否判定が行われる。当否判定の結果は、後述する表示画面３０Ｇにて、その結果に基づいた演出と共に表示される。大入賞口１５，１７は、通常は、可動扉１５Ｔ，１７Ｔにより閉塞され遊技球が入球困難な状態になっていて、上記当否判定の結果が当りとなったときに開放されて遊技球が入球可能な状態となる。また、各種入賞口に遊技球が入球すると、賞球が上皿２６に払い出される。
【００２３】
遊技領域Ｒ１は、遊技板１１の前面より前方に突出したガイドレール１２によって囲まれている。ガイドレール１２は、帯状の金属板を円弧状に湾曲させてなる第１レール１２Ａと、樹脂製の第２レール１２Ｂ及び第３レール１２Ｃとからなる。
【００２４】
第１レール１２Ａは、遊技板１１の外縁部における下辺の左端部寄り位置と、左辺の中央位置と、上辺の中央位置と、右上角部近傍の右辺寄り位置とを繋げる円弧状をなして延びている。第２レール１２Ｂは、遊技板１１の外縁部の下辺中央部より上方に離れた位置から遊技板１１の左上角部近傍で第１レール１２Ａより内側に遊技球１つ分ずれた位置まで、第１レール１２Ａに沿った円弧状をなして延びている。なお、第２レール１２Ｂには、下端寄り位置から遊技板１１の下辺部に向かって第２レール１２Ｂの円弧の接線方向に延びた分岐レール１２Ｘが一体に備えられている。
【００２５】
また、第３レール１２Ｃは、遊技板１１の外縁部の下辺と右辺とに沿って延びて、その下辺に沿った部分の先端が第２レール１２Ｂの始端部に接合される一方、右辺に沿った部分の上側が第１レール１２Ａの終端部に接合されている。
【００２６】
これらガイドレール１２のうち第２レール１２Ｂと第３レール１２Ｃ及び第１レール１２Ａの上辺部分とに囲まれた領域が遊技領域Ｒ１に相当し、第１レール１２Ａと第２レール１２Ｂとの間、つまり遊技領域Ｒ１の左側部で上下方向に延びた領域が、本発明の発射通路１３に相当する。
【００２７】
また、図７及び図８に示すように、遊技板１１の後面には、遊技領域Ｒ１の裏側部分を含む領域を、その周辺領域よりも後方に段付き状に突出させてなる丘陵部１１Ｋが備えられている。遊技板１１のうち丘陵部１１Ｋを備えている部分は、板厚が厚くなっているので、遊技領域Ｒ１内の障害釘や役物を取り付けるネジを深く打ち込んだり、ネジ込むことができ、それらの支持が強固になる。つまり、遊技板１１のうち丘陵部１１Ｋを備えている部分は、少なくとも障害釘を打ちつけ可能な厚さを有している。また、丘陵部１１Ｋとその周辺領域との段差部が本発明の凹凸透過部１１Ｄに相当し、遊技板１１の前面に対して傾斜していて、発射通路１３に沿って円弧状に延びている。
【００２８】
図２に示すように、遊技板１１のうち遊技領域Ｒ１の中央には、演出窓１０Ｈが貫通形成されている。そして、この演出窓１０Ｈを通して、表示装置３０の表示画面３０Ｇが前方に臨んでいる。詳細には、遊技板１１の後面には、図３に示す裏側筐体４０が固定されていて、表示装置３０は、この裏側筐体４０に取り付けられることで、演出窓１０Ｈの後方に配されている。
【００２９】
裏側筐体４０は、遊技板１１の後面と対向した主板壁４１と、その外縁部から前方に起立した囲壁４２とを有し、前面開放の箱形構造をなしている。そして、囲壁４２の前端縁を遊技板１１の後面の外縁部に突き当てた状態で遊技板１１と裏側筐体４０とがネジ止めされて固定されている。なお、主板壁４１の上部には四角形の貫通孔４１Ａが形成されていて、表示装置３０は表示画面３０Ｇによって貫通孔４１Ａを閉塞するように固定されている。
【００３０】
図３に示すように、囲壁４２の左辺部の前端には、外方へ張り出した前端壁４２Ｚが形成されていて、この前端壁４２Ｚの上下両端部には本発明に係る突当突起４２Ｔが形成されている。なお、前端壁４２Ｚの両側端部には僅かに前方に突出した側壁４２Ｓ，４２Ｓが設けられていて、前端壁４２Ｚと側壁４２Ｓ，４２Ｓとから浅い溝部４２Ｍが構成されている。また、図８に示すように、遊技板１１の後面のうち左辺部分には、この突当突起４２Ｔを受容するための受容凹部１１Ｕが形成されていて、これら突当突起４２Ｔと受容凹部１１Ｕとにより、裏側筐体４０が遊技板１１に対して位置決めされる。ここで、前端壁４２Ｚから突出した突当突起４２Ｔが遊技板１１の後面の一部である受容凹部１１Ｕの底部に突き当たることで、前端壁４２Ｚの前面と遊技板１１の後面との間に隙間Ｓが生じている（図９参照）。
【００３１】
また、裏側筐体４０の内部には、装飾用の部材が複数取り付けられ、その一部が演出窓１０Ｈから視認可能となっている。例えば、裏側筐体４０の内側のうち右側辺には羽根を象った右側装飾部材４５が設けられていて、この右側装飾部材４５が演出窓１０Ｈから視認される（図２及び図４参照）。なお、表示装置３０の表示画面３０Ｇ及び右側装飾部材４５等が本発明の「内部装飾部材」に相当する。
【００３２】
ここで、本実施形態のパチンコ遊技機１０では、遊技板１１が透明樹脂により構成されていて、遊技板１１を通して、その後方が透視可能となっている。例えば、図４に示すように、裏側筐体４０の内側のうち演出窓１０Ｈよりも下方の領域には、下側装飾部材４６（本発明の「内部装飾部材」に相当する）が備えられていて、前方から透視される。
【００３３】
ところで、遊技板１１を全体か一部かに拘わらず透明にすることにより、遊技板１１の外縁部（凹凸透過部１１Ｄの周縁部１１Ｅ（図７参照））が透明になると、下側装飾部材４６等で飾り付けられた裏側筐体４０の内部に比べて何も装飾されておらず遊技板１１に取り付けられるためだけの殺風景な裏側筐体４０の外縁部が見えてしまい、興醒め感を抱かせて趣向性を低下させる虞があるが、本実施形態のパチンコ遊技機１０では、裏側筐体４０の外縁部である前端壁４２Ｚと遊技板１１との間に外縁装飾部材５０が備えられている（図５参照）。
【００３４】
図６に示すように、外縁装飾部材５０は、細長い透明樹脂板に装飾が施された第１及び第２の装飾部材５０Ａ，５０Ｂからなる。なお、第１の外縁装飾部材５０Ａの下端辺と第２の外縁装飾部材５０Ｂの上端辺とは互いに当てはまるように湾曲している。これら第１及び第２の外縁装飾部材５０Ａ，５０Ｂは、上下に並んだ状態で、裏側筐体４０の前端壁４２Ｚのうち２つの突当突起４２Ｔ，４２Ｔの間、つまり、前端壁４２Ｚと遊技板１１との間の隙間Ｓ（図９参照）に配されている。これにより遊技板１１及び外縁装飾部材５０が擦れ合うことが防がれる。また、図２に示すように、第１及び第２の外縁装飾部材５０Ａ，５０Ｂは、遊技板１１を裏側筐体４０に重ねた状態では、発射通路１３の後方に位置している。
【００３５】
なお、第１及び第２の装飾部材５０Ａ，５０Ｂは、第１及び第２の装飾部材５０Ａ，５０Ｂの後面における上下方向の両端部に形成された筒部５０Ｈ（図６参照）に、前端壁４２Ｚから突出したネジ孔突起４２Ｊ（図３参照）を受容させることで位置決めされ、この状態で前方からネジ止めされて前端壁４２Ｚに強固に固定されている。また、第１及び第２の装飾部材５０Ａ，５０Ｂの後面には、２つの筒部５０Ｈ，５０Ｈの間で延びた突条５０Ｔ（図６参照）が形成されていて、第１や第２の装飾部材５０Ａ，５０Ｂの強度が強化されると共に、第１及び第２の装飾部材５０Ａ，５０Ｂを裏側筐体４０に当てはめた際に突条５０Ｔが裏側筐体４０の溝部４２Ｍに受容されることによっても位置決めが可能になる。
【００３６】
なお、遊技板１１の外縁には、丘陵部１１Ｋよりも後方に突出した外縁突壁１１Ｆが備えられている。この外縁突壁１１Ｆは、透明樹脂により構成された遊技板１１の強度を保ったり、透明樹脂でない従来からあるべニアの遊技板との厚みの整合性（例えば１９ｍｍ）を取る役割を有している。また、遊技板１１全体を、遊技板１１のうち丘陵部１１Ｋを備えている部分と同じ厚みにするのではなく、段差部１１Ｄを介して周縁部１１Ｅから丘陵部１１Ｋが突出した構成とすることで、周縁部１１Ｅの厚みを減らすことができ、樹脂容量を抑えることが可能となると共に、多量の樹脂による成形収縮によって生じるひけ（へこみ等）の発生を抑制することも可能となる。
【００３７】
このように、本実施形態のパチンコ遊技機１０では、遊技板１１を通して透視される裏側筐体４０の外縁部が裏側筐体４０の内部と同様に装飾されているので、殺風景な裏側筐体４０の外縁部がそのまま見えてしまう虞を軽減することができると共に、遊技板１１を透明にしなければ見えなかった部分にまで装飾が施されているという贅沢感を抱かせることができ、従来よりも趣向性を向上させることができる。しかも、外縁装飾部材５０が、遊技板の裏側の凹凸透過部１１Ｄの後方に配置されているため屈曲して見え、より趣向性が向上する。
【００３８】
また、本実施形態では、遊技板１１に障害釘や役物を取り付けるための丘陵部１１Ｋの段差部が凹凸透過部１１Ｄに流用されているので、丘陵部１１Ｋの有効利用が図られる。しかも、その凹凸透過部１１Ｄが発射通路１３に沿って延びているので、発射通路１３を通過する遊技球の軌道のように見せることができ、この点においても趣向性の向上が図られる。また、外縁装飾部材５０がこの発射通路１３の後方に配されているので、従来よりも発射通路１３に目を向けさせることが可能となる。
【００３９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４０】
（１）上記実施形態では、パチンコ遊技機１０に本発明を適用していたが、遊技機であれば、コイン遊技機やスロットマシン等に適用してもよい。
【００４１】
（２）上記実施形態では、外縁装飾部材５０が遊技板１１と裏側筐体４０との間に配される際に裏側筐体４０側に固定されていたが、遊技板１１側に固定されていてもよい。また、遊技板１１の後面と裏側筐体４０の前端部との間で挟み付けられて固定される構成であってもよい。
【００４２】
（３）上記実施形態では、外縁装飾部材５０が前端壁４２Ｚに沿って延びた形状であったが、例えば円形の外縁装飾部材５０を前端壁４２Ｚに沿って複数並べた構成であってもよい。
【００４３】
（４）遊技板１１は、全体が透明であってもよいし、前面又は後面にペイントが施される等して一部のみが透明であってもよい。一部のみが透明である場合であっても、少なくとも裏側筐体４０の外縁部と重なる部分（上記実施形態においては凹凸透過部１１Ｄの周縁部１１Ｅ（図７参照））が透明になっていれば、本発明の恩恵を享受することが可能となる。
【符号の説明】
【００４４】
１０    パチンコ遊技機（遊技機）
１０Ｈ    演出窓
１１    遊技板
１１Ｄ    凹凸透過部
１１Ｋ    丘陵部
１３    発射通路
４０    裏側筐体
４２Ｔ    突当突起
５０    外縁装飾部材
【要約】
【課題】従来よりも趣向性が高い遊技機の提供を目的とする。
【解決手段】本発明のパチンコ遊技機１０では、遊技板１１が透明樹脂により構成されていて、この遊技板１１を通して裏側筐体４０に設けられた下側装飾部材４６等が透視可能となっている。そして、裏側筐体４０の外縁部にある前端壁４２Ｚの前面と遊技板１１の後面との間に外縁装飾部材５０が備えられている。これにより、何も装飾されていない殺風景な裏側筐体４０の外縁部がそのまま見えてしまう虞を軽減することが可能となるので、従来よりも趣向性を向上させることが可能となる。
【選択図】図２【図１】
0005903685.tif 000002
【図２】
0005903685.tif 000003
【図３】
0005903685.tif 000004
【図４】
0005903685.tif 000005
【図５】
0005903685.tif 000006
【図６】
0005903685.tif 000007
【図７】
0005903685.tif 000008
【図８】
0005903685.tif 000009
【図９】
0005903685.tif 000010